(57)【要約】【課題】仏壇の扉の裏面に如来、菩薩、四天王、大師、天蓋、揺珞、蓮座、はす、花鳥、山水などをレリーフしたものを正確にきれいにあらわした仏壇を安価に提供する。【解決手段】扉１１の裏面に天蓋１２ｃ、揺珞、仏像１２ａ、蓮座、花鳥、はす、山水から適宜選択したレリーフ部材１２を形成した仏壇１０において、上記各種レリーフ部材１２の配置位置を画した模りフレームを扉１１の裏面に仮付けし、この模りフレームに倣って各種レリーフ部材１２を貼り付けてなる構成を採用したもので、上記レリーフ部材１２の貼り付け手段として、両面接着シートを採用し、また、上記各種レリーフ部材１２の配置位置を画した模りフレームは、該当するレリーフ部材１２の全周面で接することなく、要所で部分接触するように模りされたものを採用することができる。【選択図】図１
2005342300.tif 000002
【特許請求の範囲】
【請求項１】
基板の表面に浮き彫りを形成してなるレリーフパネルの製造法において、基板の表面にレリーフ部材の配置位置を画した模りフレームを載置し、この模りフレームに倣って予め彫刻したレリーフ部材を嵌め込み基板に貼り付けることを特徴とするレリーフパネル製造法。
【請求項２】
上記模りフレームとして、レリーフ部材の要所で部分接触するように模りされているものを採用することを特徴とする請求項１に記載のレリーフパネルの製造法。
【請求項３】
仏壇の扉裏面にレリーフをあらわした仏壇において、仏壇の扉裏面にレリーフ部材の配置位置を画した模りフレームを載置し、この模りフレームに倣って予め彫刻したレリーフ部材を嵌め込み貼り付けてなることを特徴とする仏壇。
【請求項４】
上記レリーフ部材の貼り付け手段として、両面接着シートを採用したことを特徴とする請求項３に記載の仏壇。
【発明の詳細な説明】
【技術分野】
【０００１】
この発明は、レリーフパネルの製造法と、扉の裏面に如来、菩薩、大師、天蓋、揺珞、蓮座、はす、花鳥、山水などのレリーフをあらわした仏壇に関する。
【背景技術】
【０００２】
生活様式の変化、とりわけ核家族化や高層集合住宅の普及によって、仏壇の様式も住環境に合わせて小型化しデザインもシンプルなものに変わってきているが、そうした中でも、伝統的な様式、例えば、天蓋、揺珞、各種仏像、蓮座、花鳥、はす、山水などを仏壇のどこかに残したいとの要望も根強くある。
【発明の開示】
【発明が解決しようとする課題】
【０００３】
上記状況のもと、高層集合住宅向けの小形でシンプルなデザインの仏壇であっても、仏壇のいずれかの部分、例えば仏壇の扉の裏面に、如来、菩薩、四天王、大師など各種仏像や天蓋、揺珞、蓮座、はす、花鳥、山水などの伝統的様式のレリーフをあらわした仏壇を提供しようとする。
【０００４】
ただ、レリーフを原木の板から彫刻したのでは、熟練した技能と長時間を要し、製造コストが嵩むこととなるので、予め彫刻したレリーフ部材を扉の裏面に貼り付けるようにすることが考えられるが、位置がずれたりゆがんで貼り付けられたりする恐れがある。
【０００５】
そこでこの発明は、仏壇の扉の裏面に如来、菩薩、四天王、大師、天蓋、揺珞、蓮座、はす、花鳥、山水などをレリーフしたものを正確にきれいにあらわした仏壇、あるいは一般的な造形をあらわした欄間、衝立、間仕切り等を安価に提供することを課題とする。
【課題を解決するための手段】
【０００６】
上記課題を解決するためにこの発明は、基板の表面に浮き彫りを形成してなるレリーフパネルの製造法において、基板の表面にレリーフ部材の配置位置を画した模りフレームを載置し、この模りフレームに倣って予め彫刻したレリーフ部材を嵌め込み基板に貼り付ける（請求項１）ものであり、上記模りフレームとして、レリーフ部材の要所で部分接触するように模りされているものを採用する（請求項２）ことができる。また、仏壇の扉裏面にレリーフをあらわした仏壇において、仏壇の扉裏面にレリーフ部材の配置位置を画した模りフレームを載置し、この模りフレームに倣って予め彫刻したレリーフ部材を嵌め込み貼り付けてなる構成としたもの（請求項３）であり、上記レリーフ部材の貼り付け手段として、両面接着シートを採用したもの（請求項４）である。
【発明の効果】
【０００７】
上記の如く構成するこの発明によれば、貼り付けられるレリーフ部材の配置位置を画した模りフレームに倣って、仏壇の扉の裏側に予め彫刻したレリーフ部材が貼り付けられるので極めて正確に貼り付けられ、両面接着シートで貼り付けることにより、接着界面から接着剤が滲みでることがなく、模りの内周面とレリーフ部材との接触を部分接触にすることによりレリーフ部材の嵌め込みが容易になり、貼り付け後の模りフレームの取り外しが容易になる。
【発明を実施するための最良の形態】
【０００８】
次にこの発明の実施の形態を、図面を参照しながら説明する。図１は扉１１の裏側に如来、菩薩、大師などの各種仏像、天蓋、揺珞、蓮座、はすなどのレリーフ部材１２を、仏壇１０の扉１１の裏面にあらわしたものである。なお、あらわすレリーフ部材１２の内容は、上記に限らず花鳥、山水、四天王など仏壇にふさわしいものを適宜採用することができる。なお、各種仏像にはその名称のプレート１２ｂを付すこともできる。
【０００９】
ここで上記レリーフ部材１２を一般的な手段で貼り付けると、作業者の熟練度により仕上りが左右され、レリーフ部材１２がゆがんで貼り付けられたり、接着剤が接着界面から滲み出てきたりする恐れがある。
【００１０】
そこで、上記レリーフ部材１２を扉１１の裏面に貼り付けるときは、図２に示すように扉１１の裏面に配置されるレリーフ部材１２の配置位置を画した模りフレーム１３を扉１１の裏面に仮止めし、その模りフレーム１４の模り１３ａに倣ってそれぞれのレリーフ部材１２を貼り付ける。
【００１１】
上記模りフレーム１３の、レリーフ部材１２を配置するための模りは、図２，図３に示すように、仏像１２ａとプレート１２ｂとが連なった模り１３ａになっており、これにより模りフレーム１３の製作が簡単になるとともにレリーフ部材１２の嵌め込みも容易になり、レリーフ部材１２を貼り付けた後、模りフレーム１３を取り外すのも容易になる。なお、天蓋１２ｃの模り１３ａでも要所で接するような模りとすることもできる。
【００１２】
図４は、以上のようにして仏像１２ａとプレート１２ｂとを扉１１の裏に貼り付けて、仮止めした模りフレーム１３を取り外し完成した状態を示す。
【００１３】
図５は、レリーフ部材１２を扉１１の裏面に貼り付けるときの接着手順の説明で、同図（ａ）のようにレリーフ部材１２の裏面に両面接着シート１４を予め貼り付け、同図（ｂ）のように扉１１の裏に貼り付ける直前に図示しない離型シートを除去して扉１１の裏面に模りフレーム１３の模り１３ａに倣ってレリーフ部材１２を貼り付け、模りフレーム１３を取り除くと同図（ｃ）のようになる。
【００１４】
なお、上記レリーフ部材の貼り付けでは、両面接着シートを採用したが、接着対象が両方とも木質の場合は、レリーフ部材の外形より内側形状で裁断した和紙または比較的薄いセルロース系の不織布に木工ボンドを含浸させ、これをレリーフ部材の裏側に貼り付け、続いて模りフレームに倣って扉の裏面に貼り付けると余分の接着剤が付かず接着界面から接着剤が滲み出ることがなく確実に接着できる。
【００１５】
また、上記実施例は仏壇に係わるものであったが、上記の製造技術は一般的なレリーフの造形にも適用することができ、例えば欄間、衝立、間仕切りなどに適用することができる。
【産業上の利用可能性】
【００１６】
以上説明したようにこの発明に係る仏壇は、核家族化が進み、高層集合住宅の普及のなかで、小型化やシンプルなデザインとなった仏壇に、伝統的なレリーフをあらわすことにより重厚さを付加することとなり、レリーフの貼り付けに際しては、模りフレームを使用して簡単、正確に行えるようにし、貼り付けの際の接着は、両面接着シートを採用することにより接着界面から接着剤が滲み出すのを防止し、従来にない発想の仏壇が得られることにより新しい市場が開かれ産業上の利用可能性が大きい。
【図面の簡単な説明】
【００１７】
【図１】この発明に係る仏壇の、扉を開いた状態の正面図
【図２】扉の裏面に模りフレームを用いてレリーフを貼り付ける説明図で（ａ）は模りフレームを用いてレリーフを貼り付けた状態、（ｂ）扉の裏面に模りフレームを仮止めした状態。
【図３】仮止めした模りフレームに倣ってレリーフを貼り付ける状態の部分拡大図
【図４】レリーフを貼り付けた扉の裏面の部分拡大図
【図５】レリーフの貼り付け説明図で（ａ）レリーフの裏側に両面接着シートを貼り付け（ｂ）仮止めした模りフレームに倣ってレリーフを貼り付け（ｃ）貼り付け完了の状態を示す。
【符号の説明】
【００１８】
１０  仏壇
１１  扉
１２  レリーフ部材
１２ａ  仏像
１２ｂ  プレート
１２ｃ  天蓋
１３  模りフレーム
１３ａ  模り
１４  両面接着シート
【図１】
2005342300.tif 000003
【図２】
2005342300.tif 000004
【図３】
2005342300.tif 000005
【図４】
2005342300.tif 000006
【図５】
2005342300.tif 000007